(57)【要約】【課題】本発明は、補聴器と、その電源である燃料電池に関するもので、使い勝手をよくすることを目的とするものである。【解決手段】この目的を達成するために本発明は、補聴器と、この補聴器の動作させるための燃料電池を備え、該燃料電池はナノバブル水を利用した蓄電と電源供給をおこなう。前記補聴器と燃料電池をナノバブル水に没入させて、補聴器に付着した汗や耳垢などの汚れを除去すると共に殺菌、洗浄、調整、充電を同時におこない補聴器の洗浄、電池交換の手間および使い勝手を向上させた燃料電池を電源とする補聴器を提供する。【選択図】図１
2014127720.tif 000002
【特許請求の範囲】
【請求項１】
外端と内端を有する、耳孔に挿入可能な外装容器の、
該外端に外部の音を集音するマイクロホンと、該内端に音声を発信するスピーカーと、を備え、
前記外装容器内に、前記マイクロホンから集音した入力音声を増幅して前記スピーカーに出力音声を伝達する増幅器を内蔵する補聴器において、
前記外装容器内部に、
ナノバブル水と反応して発電するカートリッジを内蔵する燃料電池と、
前記外装容器表面に、該外装容器表面外部の前記ナノバブル水を導入して前記燃料電池に補給させるためのナノバブル水取入れ口と、
を、具備し、
該燃料電池が該ナノバブル水を利用して電力補給する補聴器であって、
ナノバブル水補給環境において、前記燃料電池の前記ナノバブル水補給と、前記外装容器の汚れ除去および洗浄および殺菌とを、同時に行うことを特徴とする燃料電池を電源とする補聴器。
【請求項２】
前記補聴器は、完全耳内型（ＣＩＣ：Completely in the Canal）であることを特徴とした請求項１に記載の燃料電池を電源とする補聴器。
【請求項３】
前記補聴器は、耳内型またはオーダー・メイド耳内型であることを特徴とした請求項１に記載の燃料電池を電源とする補聴器。
【請求項４】
前記補聴器は、耳かけ型であることを特徴とした請求項１に記載の燃料電池を電源とする補聴器。
【請求項５】
前記マイクロホンは、前記外端から伸長するアンテナから構成され、
前記外装容器は、前記燃料電池を内蔵する燃料電池内蔵部および磁性体を内蔵する磁性体内蔵部を含み、
前記磁性体内蔵部の外側に、前記耳孔の外耳道の内壁へ密接し、該外耳道の内壁へ振動を伝達する振動部と、を備え、
前記磁性体は、前記アンテナから集音した入力音声を変換して得る電気信号の変化により振動し、該振動を前記振動部に伝達する骨伝導耳内型の、請求項１に記載の燃料電池を電源とする補聴器。
【請求項６】
前記補聴器は、眼鏡組込み骨伝導型であることを特徴とした請求項５に記載の燃料電池を電源とする補聴器。
【請求項７】
携帯端末機で集音し、該携帯端末機からＲＦＩＤなどの無線通信により送信された電磁波信号を前記アンテナから受信する、携帯端末機連動型であることを特徴とした請求項５に記載の燃料電池を電源とする補聴器。
【請求項８】
前記補聴器は、フッ素原子と炭素原子のみからなるフッ素樹脂（フッ化炭素樹脂）による撥水加工したメッシュ状の防水膜および触媒コーティングによる防水機能を備えることを特徴とした請求項１から請求項７のいずれかに記載の燃料電池を電源とする補聴器。
【請求項９】
前記補聴器および前記燃料電池は、基板など重要な電子回路部分にのみナノコーティング防水膜および防水機能を備えることを特徴とした請求項１から請求項８のいずれかに記載の燃料電池を電源とする補聴器。
【請求項１０】
前記補聴器は、光触媒コーティングなどによる汚れ付着予防機能を備えることを特徴とした請求項１から請求項９のいずれかに記載の燃料電池を電源とする補聴器。
【請求項１１】
前記補聴器は、装用使用における汗や耳垢などをナノバブル水と、音波洗浄併用などで除去することを特徴とした請求項１から請求項１０のいずれかに記載の燃料電池を電源とする補聴器。
【請求項１２】
前記補聴器は、ナノバブル水に前記補聴器を沈めた状態で外部から携帯端末機などの機器を利用して信号を送受信しながら機能調整することを特徴とした請求項１から請求項１１のいずれかに記載の燃料電池を電源とする補聴器。
【請求項１３】
前記ナノバブル水を貯水して、前記燃料電池を電源とする補聴器を該貯水したナノバブル水に浸水させるナノバブル水保持容器。
【請求項１４】
携帯端末機で集音し、該携帯端末機からＲＦＩＤなどの無線通信により送信された電磁波信号を、内蔵するアクティブＲＦＩＤタグが受信し、該アクティブＲＦＩＤタグが発信信号を内蔵するマイクロ磁歪素子へ伝え、内耳の軟骨部分に骨導音を提供する、使い捨て可能な簡易型骨連動耳孔型補聴器。
【請求項１５】
前記簡易型骨連動耳孔型補聴器と連動させて使用する携帯端末機であって、
該携帯端末機の内部にナノバブル水と反応して発電するカートリッジを内蔵する燃料電池を備え、
該携帯端末機の表面にナノバブル水を該燃料電池に補給するためのナノバブル水取入れ口を設けた、
燃料電池を搭載した携帯端末機。
【発明の詳細な説明】
【技術分野】
【０００１】
本発明は、燃料電池を搭載した補聴器に関するものである。
【背景技術】
【０００２】
米国で１０代の若者の難聴が急増しているという調査結果が米国の医学会誌に発表されている。１２−１９歳の若者の難聴比率を１９９０年代半ばの統計と比較して、その結果、軽度の難聴にかかっている若者の割合は３０％増え、会話に支障がみられる程度の重い難聴は７７％も増えていることが分かった。
【０００３】
難聴を持つ若者は１９９４年の時点で２０人に１人の割合だったのが、２００６年までには約５人に１人に当たる推定６５０万人へと急増したという。原因はまだ究明されていないが、音楽との関係についてはさらに研究を進める必要があると専門家は指摘する。２００５−０６年の調査では、大音量で音楽などを聴くことが週に５時間以上あるかどうか尋ねる項目も盛り込まれた。因果関係は立証されていないものの、若者に人気のデジタル音楽プレーヤーの影響は無視できないと専門家は口をそろえる。
【０００４】
１０代の子どもたちは、自分が大音量で聞いていることに気付いていないという調査報告もある。子どもにスマートフォンなどの携帯端末機を与える際には音量制限を設定することを求めている。又、子ども自身に問題を理解させることも重要である。
【０００５】
現在使用されている補聴器は電池で動作しているため、電池がなくなると音が出なくなり、補聴器としての役割を果たさなくなる。したがって、電池の残量をしっかりチェックすることは補聴器管理のもっとも基本的なことといわれている。「故障して音が出ない」と持ち込まれる補聴器を点検すると、電池が消尽しているということも珍しくない。
【０００６】
現在補聴器用の電池として多く使われているのが「空気電池」電池である。空気電池は内部に空気を取り入れて電池内の溶剤と化学反応を起こさせ、電気を発生させる。そのため、空気を取り入れるための孔が表面に開いている。購入時はこの孔はシールでふさがれていて、このシールを剥がすことで電池が動き出す仕組みになっている。
【０００７】
シールをいったん剥がすと電池内部で化学変化が始まり電気を発生するが、この電気発生作用は再びシールを貼っても継続する。したがって、いったんシールを剥がした電池は再びシールを貼っても徐々に消耗すると言われている。
【０００８】
実際に空気電池は何日ぐらい使えるのかというと、補聴器のカタログには「２４０時間」等、電池の寿命が書かれている。これを単純に日数に換算すると、一日１２時間使ったとして約２０日持つことになるが、これはあくまである条件で使用した場合の日数である。実際の使用時間は，様々な使用条件に従って、だいぶ異なってくる。大きなボリュームで使用する場合は、音を大きくするために沢山の電気を使うので使用日数は短くなる一方、ボリュームが小さい場合は長持ちするということになる。また、一日当たりの装用時間が短い場合は使用日数が長くなり、逆に装用時間が長い場合は使用日数が短くなる。
【０００９】
空気電池は、アルカリ電池などと違い、急に電池が無くなる（電圧が急に低下する）という特性を持っている。従って、朝チェックしたとき十分電圧があった電池でも、昼頃になると無くなってしまうというような事がよくあり不便である。
【００１０】
近年、充電式の電池が利用できる補聴器が出現し、この充電式電池装着の補聴器を用いれば、従来の小さな空気電池の交換という煩わしく細かい作業から解放されることとなる。この充電式電池装着の補聴器は、補聴器を充電器にセットするだけで充電が可能な型式で、補聴器を充電器に入れ１回の充電で約７〜９．５時間連続使用可能なものも出始めたが、充電電池は、約５００回の充放電により寿命となり、使用出来なくなって交換しなければならないという不都合もある。
【００１１】
また、米チップメーカーなど３社は，消費電力が２７０μＡの補聴器向けチップについて共同発表している。これによれば、現在の補聴器向けチップの消費電力は１ｍＡ程度でるが、上記チップメーカー等が開発したチップでは、消費電力が約１／４になる。さらに、標準的な空気亜鉛電池を用いて、連続４０日間の利用が可能になるという補聴器向けチップも現れてきている。
【００１２】
さらに、特許文献１には、燃料電池を利用した身体装用可能な試みとしての燃料電池本体に水素ガスを供給するように構成されていることを特徴とする身体装着式燃料電池システムが開示されているが、現在のところ燃料電池を動作電源に持つ補聴器はない。
【００１３】
また、これら電源の問題とは別に、上記のような現在開発され市販されている身体装用する補聴器、特に耳孔型補聴器では、当該補聴器を外耳道に挿入するときに、その先端部が外耳道の壁部に付着した耳垢を掻き取るように接触する。そのため、イヤホン音口に耳垢が付着したり、補聴器内部に侵入したりして、補聴器の性能を劣化させる要因ともなっている。このような課題に対しては、特許文献２に、耳垢の除去に関してピストンリングを作動させ機械式にこれを除去する方法が開示されている。
【００１４】
【特許文献１】特開２００９−２８９７４４号公報
【特許文献２】特開２００９−１７７６８７号公報
【発明の概要】
【発明が解決しようとする課題】
【００１５】
上述のように、現在補聴器用の電池として多く使われている電池は、空気電池という電池である。しかし、空気電池は使用時間が短く、使用条件によっては短時間で消耗してしまい、また、空気電池は小型であるため補聴器を多用する高齢者の電池交換が困難という課題もある。さらに、上記従来の補聴器は、身体装用時に汗などによる汚れが付着するという課題もある。
【００１６】
そこで、本発明は、耐用時間が非常に長く、小さな電池交換の手間を不要とし、かつ、上記音口への耳垢付着などの手入れ頻度を軽減できる等、使い勝手を大幅に向上させた燃料電池を電源とする補聴器を提供することを目的とする。
【課題を解決するための手段】
【００１７】
本発明に係る燃料電池を電源とする補聴器は、外端と内端を有する、耳孔に挿入可能な外装容器の、該外端に外部の音を集音するマイクロホンと、該内端に音声を発信するスピーカーと、を備え、前記外装容器内に、前記マイクロホンから集音した入力音声を増幅して前記スピーカーに出力音声を伝達する増幅器を内蔵する補聴器において、前記外装容器内部に、ナノバブル水と反応して発電するカートリッジを内蔵する燃料電池と、前記外装容器表面に、該外装容器表面外部の前記ナノバブル水を導入して前記燃料電池に補給させるためのナノバブル水取入れ口と、を具備し、該燃料電池が該ナノバブル水を利用して電力補給する補聴器であって、ナノバブル水補給環境において、前記燃料電池の前記ナノバブル水補給と、前記外装容器の汚れ除去および洗浄および殺菌とを、同時に行うことを特徴とする。
【００１８】
本発明に係る燃料電池を電源とする補聴器において、前記補聴器は、完全耳内型（ＣＩＣ：Completely in the Canal）であってよい。
【００１９】
本発明に係る燃料電池を電源とする補聴器において、前記補聴器は、耳内型またはオーダー・メイド耳内型であってもよい。
【００２０】
本発明に係る燃料電池を電源とする補聴器において、前記補聴器は、耳かけ型であってもよい。
【００２１】
本発明に係る燃料電池を電源とする補聴器は、前記マイクロホンが前記外端から伸長するアンテナから構成され、前記外装容器は、前記燃料電池を内蔵する燃料電池内蔵部および磁性体を内蔵する磁性体内蔵部を含み、前記磁性体内蔵部の外側に、前記耳孔の外耳道の内壁へ密接し、該外耳道の内壁へ振動を伝達する振動部と、を備え、前記磁性体は、前記アンテナから集音した入力音声を変換して得る電気信号の変化により振動し、該振動を前記振動部に伝達する骨伝導耳内型としてもよい。
【００２２】
本発明に係る燃料電池を電源とする補聴器において、前記補聴器は、眼鏡組込み骨伝導型であってもよい。
【００２３】
本発明に係る燃料電池を電源とする補聴器において、前記補聴器は、携帯端末機で集音し、該携帯端末機からＲＦＩＤなどの無線通信により送信された電磁波信号を前記アンテナから受信する、携帯端末機連動型であってもよい。
【００２４】
本発明に係る燃料電池を電源とする補聴器において、前記補聴器は、フッ素原子と炭素原子のみからなるフッ素樹脂（フッ化炭素樹脂）による撥水加工したメッシュ状の防水膜および触媒コーティングによる防水機能を備え得る。
【００２５】
本発明に係る燃料電池を電源とする補聴器において、前記補聴器および前記燃料電池は、基板など重要な電子回路部分にのみナノコーティング防水膜および防水機能を備え得る。
【００２６】
本発明に係る燃料電池を電源とする補聴器において、前記補聴器は、光触媒コーティングなどによる汚れ付着予防機能を備え得る。
【００２７】
本発明に係る燃料電池を電源とする補聴器において、前記補聴器は、装用使用における汗や耳垢などをナノバブル水と、音波洗浄併用などで除去することを特徴とする。
【００２８】
本発明に係る燃料電池を電源とする補聴器において、前記補聴器は、ナノバブル水に前記補聴器を沈めた状態で外部から携帯端末機などの機器を利用して信号を送受信しながら機能調整することを特徴とする。
【００２９】
本発明に係るナノバブル水保持容器は、前記ナノバブル水を貯水して、前記燃料電池を電源とする補聴器を該貯水したナノバブル水に浸水させ得る。
【００３０】
本発明に係る使い捨て可能な簡易型骨連動耳孔型補聴器は、携帯端末機で集音し、該携帯端末機からＲＦＩＤなどの無線通信により送信された電磁波信号を、内蔵するアクティブＲＦＩＤタグが受信し、該アクティブＲＦＩＤタグが発信信号を内蔵するマイクロ磁歪素子へ伝え、内耳の軟骨部分に骨導音を提供する。
【００３１】
本発明に係る燃料電池を搭載した携帯端末機は、前記簡易型骨連動耳孔型補聴器と連動させて使用する携帯端末機であって、該携帯端末機の内部にナノバブル水と反応して発電するカートリッジを内蔵する燃料電池を備え、該携帯端末機の表面にナノバブル水を該燃料電池に補給するためのナノバブル水取入れ口を設けた。
【発明の効果】
【００３２】
本発明の燃料電池を備えた補聴器によれば、補聴器のデジタル化や多機能化によって消費電力は増大する一方、現在、補聴器で主流の空気電池および充電電池であるアルカリ電池では容量不足となってきたため、燃料電池を利用する補聴器提供ができる。又、前記燃料電池は水および水溶液を媒介にして発電する仕組みを採用しているので、水溶液（例えば、水）の補給が不可欠で水および水溶液を貯めた浴槽（ナノバブル水保持容器）に沈下させて補給を行い、その水補給と同時に補聴器部に付着した汗や耳垢などの汚れを除去すると共に殺菌、洗浄、調整、を行い、補聴器の電池交換頻度を低減するなど実用に即した補聴器を提供できる。
【図面の簡単な説明】
【００３３】
【図１】本発明に係る燃料電池を電源とする補聴器の、耳孔型補聴器の外部概略構成図である。
【図２】本発明に係る燃料電池を電源とする補聴器の、内部概略構成図である。
【図３】本発明に係る燃料電池を電源とする補聴器の、耳孔型ナノバブル水保持容器の容器構成断面例図である。
【図４】本発明に係る燃料電池を電源とする補聴器の、骨連動耳孔型補聴器の概略断面構成図である。
【図５】（ａ）本発明に係る燃料電池を電源とする補聴器と連動する携帯端末機の正面図、（ｂ）本発明に係る燃料電池を電源とする補聴器の、ナノバブル水保持容器の概略断面構成図である。
【図６】本発明に係る燃料電池を電源とする補聴器の、簡易型骨連動耳孔型補聴器概要例図である。
【図７】本発明に係る使い捨て可能な簡易型骨連動耳孔型補聴器の断面斜視図である。
【図８】本発明に係る使い捨て可能な簡易型骨連動耳孔型補聴器の装着時における斜視図である。
【発明を実施するための形態】
【００３４】
以下、図面を参照しながら本発明に係る燃料電池を電源とする補聴器の実施形態について説明する。なお、以下各図面を通して同一の構成要素には同一の符号を使用するものとする。
【００３５】
図１は、本発明の第１の実施形態である燃料電池を電源とする補聴器１に係る、耳孔型補聴器の外部概略構成を、図２は当該補聴器の内部概略構成を示している。図１および図２において、第１実施形態の燃料電池１０を電源とする補聴器１は、外端１００Ａと内端１００Ｂを有する耳孔に挿入可能な外装容器１００の、外端１００Ａに外部の音を集音するマイクロホン１０１と、内端１００Ｂに音声を発信するスピーカー１０３と、を備え、外装容器１００内に、マイクロホン１０１から集音した入力音声を増幅してスピーカー１０３に出力音声を伝達する増幅器５０を内蔵する補聴器１である。なお、図１のように、外装容器１００は、下記する燃料電池１０を内包する燃料電池部１０４と、増幅器５０を内包する耳孔挿入部１０２とから構成されている。
【００３６】
本発明の第１実施形態の燃料電池を電源とする補聴器１は、外装容器１００内部に、ナノバブル水と反応して発電するカートリッジ１２を内蔵する燃料電池１０と、外装容器１００表面に、外装容器１００表面外部の上記ナノバブル水を導入して燃料電池１０に補給させるためのナノバブル水取入れ口１０５と、を具備し、燃料電池１０が上記ナノバブル水を利用して電力補給する。本発明の燃料電池を電源とする補聴器１は、例えば図３のように、ナノバブル水保持容器９０（外部容器）中にナノバブル水１０００を貯水して補聴器１をこれに浸水させるようなナノバブル水補給環境において、燃料電池１０の上記ナノバブル水１０００補給と、外装容器１００の汚れ除去および洗浄および殺菌とを、同時に行うことができる。
【００３７】
図１において、補聴器１は、マイクロホン１０１が音声入力である音を外部から集め、外装容器１００内の増幅器５０（耳孔挿入部１０２内）を介してスピーカー１０３に伝達し音声出力する。補聴器１の外装である外装容器１００には燃料電池１０が収容されていて（燃料電池部１０４内）、外装容器１００表面外部のナノバブル取入れ口１０５からナノバブル水１０００を取り入れ、燃料電池１０が備えるナトリウムシリサイドまたはナトリウムシリカゲルを含む、金属物質等から形成されるカートリッジ１２と接触することにより発電した電気により、補聴器１が動作する。
【００３８】
ここで、ナノバブル水１０００（図３参照）とは、水に酸素をナノバブルとして長期安定化させた水のことで、既に公知のナノバブル水１０００として、平均粒径約１００ｎｍ、気泡数密度７．１２億/ｍｌのナノバブル水などが例示される。
【００３９】
また、カートリッジ１２は、例えばＡｌ、ＮａＢＨ４などアルカリ金属、アルカリ土類金属、及びナトリウムシリサイドまたはナトリウムシリカゲルを含む、アルカリ金属物質等である。カートリッジ１２は、上記ナノバブル水１０００と接触することにより水素を発生させ、ナノバブルとの酸化反応により起電して、補聴器１へ安定的で長期使用の電源供給を行う。
【００４０】
したがって、図３のように、燃料電池１０を含む補聴器１を、ナノバブル水保持容器９０に満たしたナノバブル水１０００に浸水させて燃料電池発電の基となるナノバブル水補給を行うことができると共に、補聴器に付着した汗や耳垢などの汚れ（付着物）３０００をナノバブル水１０００による洗浄で除去することができ、更に、ナノバブル水１０００による殺菌を同時に行うことができる。すなわち、本発明に係る燃料電池１０を電源とする補聴器１は、ナノバブル水１０００に浸水させることにより、補聴器１の洗浄、電池交換の手間を省き、従来の電池の使い勝手を向上させた燃料電池を電源とする補聴器である。
【００４１】
図２は、上記のように、本発明に係る燃料電池を電源とする補聴器１の内部概略構成を示している。補聴器１は、例えば完全耳内型（ＣＩＣ：Completely in the Canal）または耳内型、オーダー・メイド耳内型で、カナル型とフルサイズ型、耳かけ型などのデジタル補聴器１である。
【００４２】
図２においては、外装容器１００内の本体部１００’と、外部プログラム装置５００が表示されている。本体部１００’は，マイクロホン１０１で電気信号に変換された入力信号をアナログからデジタルへ変換するＡ−Ｄコンバータ４０、さまざまなデジタル信号処理と増幅を行うＤＰＳ（デジタルシグナルプロセッサ (Digital Signal Processor)）２０、信号を再びアナログへ変換するＤ−Ａコンバータ４２、音に変換して出力するスピーカー１０３（イヤホン）からなる。外部プログラム装置５００は，ＤＰＳデジタルシグナルプロセッサ２０で実行する信号処理を調整・設定する。メモリ３０は、プログラム３２と出力データ３４の調整・設定を記憶し、例えば携帯端末機（２０００）などの外部プログラム装置５００とデータの交信をおこない調整・設定を行う。
【００４３】
上記データ交信に、例えば無接触で送受信が可能な近距離通信ＮＦＣ（Near Field Communication）を利用すれば、近距離通信の名前が示すとおり、通信距離は１０ｃｍ程度に限定されるが、その最も特徴的な機能である「かざす」だけで、誰でも簡単にデータ通信が可能になる。ＮＦＣを搭載した携帯電話などの携帯端末機を、ＮＦＣを搭載した補聴器１に「かざす」だけで、携帯電話などの携帯端末機に記録していた補聴器装用データおよび任意の変更データの交信を行い、実行することができる。
【００４４】
また、燃料電池１０はカートリッジ１２を内蔵し、発電した電力を補聴器１のＤＰＳ２０を含む増幅器５０等へ送り、補聴器１を作動させる。これらの制御は、ＤＰＳデジタルシグナルプロセッサ２０で実行される。燃料電池１０の発電状態およびナノバブル水１０００の残量などもＤＰＳ２０により監視され、異常およびナノバブル水の減水などの指示がなされる。
【００４５】
上記のように、本発明に係る第２の実施形態である燃料電池を電源とする補聴器２は、完全耳内型（ＣＩＣ：Completely in the Canal）の燃料電池を電源とする補聴器２である。第２の実施形態の補聴器２は、その内部構成は上記第１実施形態の補聴器１と同様であるが、さらにナノバブル水１０００に対応して燃料電池発電１０の基となるナノバブル水１０００補給と、補聴器に付着した汗や耳垢などの汚れ３０００をナノバブル水１０００による洗浄で除去すると共に、ナノバブル水１０００による殺菌を同時におこなう完全耳内型で、本発明に係る燃料電池を電源とする補聴器１の中では一番耳穴の奥深くに入り、小さく（約２ｃｍ）、見えにくいタイプの燃料電池を電源とする補聴器２である。
【００４６】
従来の完全耳内型の補聴器は、補聴器そのものが小さいので、電池も小さく電池交換が困難であり、また、従来の電池一個で、多少の個人差はあるが、約５日〜１週間程度しか持たないのが現状である。しかし、本発明のナノバブル水１０００利用の燃料電池式補聴器とすることで、電池交換の手間および使い勝手を向上させた、燃料電池を電源とする完全耳内型（ＣＩＣ：Completely in the Canal）の補聴器２を提供することができる。
【００４７】
また、本発明に係る第３の実施形態である燃料電池を電源とする補聴器３は、耳内型あるいはオーダー・メイド耳内型の燃料電池を電源とする補聴器３である。本実施形態３の補聴器３は、その内部構成は上記第１実施形態の補聴器１と同様であるが、さらにナノバブル水１０００に対応して燃料電池１０の発電の基となるナノバブル水１０００補給と、補聴器３に付着した汗や耳垢などの汚れ３０００をナノバブル水１０００による洗浄で除去すると共に、ナノバブル水１０００による殺菌を同時に行う耳内型、オーダー・メイド耳内型であり、カナル型とフルサイズ型に分けられる。
【００４８】
従来のこのタイプの補聴器では、電池一個で、多少の個人差はあるが、約２週間〜２０日程度使用が可能とある。しかし使用環境の変化および使用頻度により大きく電池の持ちが低下し、突然電池が切れを起こし使用不可能な状態もおこる欠点があった。本実施形態３の補聴器３は、ナノバブル水１０００利用の燃料電池式補聴器にすることで、電池交換の手間および使い勝手を向上させた、燃料電池を電源とするカナル型並びにフルサイズ型補聴器３であることを特徴としている。
【００４９】
さらに、本発明に係る第４の実施形態である燃料電池を電源とする補聴器４は、耳かけ型であることを特徴とした燃料電池を電源とする補聴器４である。本実施形態４の補聴器４は、その内部構成は上記第１実施形態の補聴器１と同様であるが、さらにナノバブル水１０００に対応して燃料電池１０発電の基となるナノバブル水１０００補給と、補聴器に付着した汗や耳垢などの汚れ３０００をナノバブル水１０００による洗浄で除去すると共に、ナノバブル水１０００による殺菌を同時に行う耳かけ型である。
【００５０】
図示しないが、従来の耳かけ型補聴器は、耳にかける部分のフックとチューブの中を通って耳の穴に入っていくので、そのフックとチューブの汚れ、特にチューブ内に入り込んだ汚れの洗浄には非常に手間が掛かる。また、従来のこのタイプの補聴器では、電池一個で、多少の個人差はあるが、約２週間〜２０日程度使用が可能とあるものの、使用環境の変化および使用頻度により大きく電池の持ちが低下し、突然電池が切れを起こし使用不可能な状態もおこる欠点があった。本実施形態４の補聴器４は、ナノバブル水１０００利用の燃料電池式補聴器４にすることで、電池交換の手間およびチューブ内の汚れの洗浄・殺菌など使い勝手を向上させた、燃料電池を電源とする耳にかけ型補聴器４であることを特徴としている。
【００５１】
次に、図３に、燃料電池１０のナノバブル水の補給および補聴器に付着した汗や耳垢などの汚れ（付着物３０００）を除去すると共に殺菌、洗浄、調整をおこなうナノバブル水１０００を貯めるナノバブル水保持容器９０の構成断面例を図示する。本発明に係るナノバブル水保持容器９０は、上記ナノバブル水１０００を貯水して、上記燃料電池１０を電源とする補聴器１を当該貯水したナノバブル水１０００に浸水させるナノバブル水保持容器９０である。
【００５２】
一般的な補聴器の手入れは非常に面倒で特に、「耳垢が原因でハウリングに」直接耳に挿入するイヤモールドには耳垢などの汚れがついてしまう。また、音導管（チューブ）も汗がつきやすい部分である。外装容器１００の耳孔挿入部１０２（以下、「イヤモールド」ともいう。）の孔の中が詰まってしまったら、音は耳に届かない。実際に有った事例として、イヤモールドに耳垢がこびりつきそれが原因で隙間ができハウリングが起きる事例が報告されている。こうした事例では、綺麗に耳垢を取り除くとハウリングはピタリと止まる場合が多い。耳垢の汚れをほって置くと音声にも影響するが、衛生面からいってもイヤモールドを常に清潔にすることがイヤモールドの管理も含めて重要であり、日々の積み重ねが大切と言われる。汚れがひどいときには柔らかい布で拭き取るだけでは汚れが取れないので、クリーニング液を使うなどし、特に汚れがひどいときには、中性洗剤を溶かしたぬるま湯で洗う。
【００５３】
また、従来補聴器へのへアードライヤの使用は、熱でイヤモールドを変形させるおそれがあるので、「冷風」のみの使用にするなどの注意が必要である。なお、消毒用のアルコールはイヤモールドの材質に影響し変形、劣化を引き起こす場合があるので使用を避けた方が良いなど取り扱いの注意点が多々あり面倒である。さらに、補聴器クリーニングキットや超音波洗浄機も使え、補聴器メーカーが販売しているクリーニングキットや、眼鏡用の超音波洗浄機を使っての洗浄も推奨される。
【００５４】
従来の補聴器の汗・湿気対策もかなりの負担になっていた。特に夏場の補聴器のトラブルの原因が夏はなんと言っても沢山の汗をかくことで、その汗が補聴器に入ると故障の原因となる。汗が補聴器に入らないようカバーを掛けて予防したり、入った湿気を取り除くように寝るときは乾燥ケースに入れるようにするなどの手間がかかった。また、結露は冬だけでなく、結構夏にも多いトラブルである。最近は、エアコンが普及した影響で冬だけでなく、夏も室内と室外の気温差が大きくなり、その影響でイヤモールド、チューブ、フック、補聴器の内部に結露する事が多くなった。イヤモールド、チューブ、フックに結露すると音の通りが悪くなり音が小さく、時には完全に聞こえなくなってしまうので、このような時は、イヤモールドを外し中の水滴を吹いて出すと元通り音が出るようになる。補聴器内部のイヤホンや、マイク部分に結露すると音が小さくなったり歪んだりするが、このような時は乾燥ケースに入れ、湿気を取り除くとよい。急いで乾燥させたいときは、補聴店には乾燥させる器機があるので補聴器を持っていって乾燥させるなど非常に面倒であった。
【００５５】
また、従来、補聴器の装用で多いトラブルとして、補聴器を付けたまま「シャワーを浴びてしまった。」「プールに入ってしまった。」等、このようなトラブルも結構多い。「シャワー」や「プール」のような場合は、ひたすら水分を取り除き、しっかり乾燥させることで９９％は元通り使えるようになる。「海に落としてしまった。」、この場合は先ず、真水でしっかり洗い、このとき、補聴器内部に入った海水もしっかり取り除くようにする。塩分が残ると後々内部を錆びさせ、補聴器を壊してしまう。真水でしっかり洗ったら、後は「シャワー」や「プール」の時と同じである。いずれの場合も、乾燥させても元に戻らない場合は修理が必要になり、又、音が出ているようでも完全に元通りの音が出ていない場合もある。
【００５６】
さらに、従来、冬の補聴器のトラブルも生じていた。空気電池の特性で空気電池は使用するときの温度が低いと、極端に使用時間が短くなる特性があり、冬になると「電池が早く終わってしまう」ことになる。それは空気電池の温度と持ち時間の関係からくる現象で、他にも冬は電池の寿命を短くする条件がいくつもある。冬の外出時には必ず電池の予備も忘れないように言われる所以である。又、暖房が原因のトラブルもあり、冬は暖房により室内と室外の気温差が大きくなるため、補聴器本体、電池、イヤモールドなどいろいろなところに結露が生じトラブルの原因になる。対策は密閉性の高い容器を使い保管することであった。
【００５７】
さらに、従来の補聴器においては、乾燥剤をこまめに替えることも重要なポイントとされていた。防湿・防水型の補聴器があり、例えば、補聴器をつけたままで入浴、洗顔、水泳などができるタイプも存在する。例えば、万一、お風呂に落としても短時間ならば大丈夫で、ただし、入浴時のシャンプー・リンスや水泳時での飛び込み・潜水などには使用でない。従来型の補聴器は、硫黄成分等の多い温泉での使用は避けるなど、防水性能の維持には、日頃の手入れと年に１度の点検に出すなど非常に手間の掛かる面倒なものであった。
【００５８】
しかし、本発明のナノバブル水保持容器９０で特に重要な部分として、上記のような面倒な補聴器の手入れの軽減が行え、図３のナノバブル水保持容器（補聴器洗浄容器）９０へナノバブル水１０００を入れて上記補聴器１を浸水（沈下）させるだけで補聴器１本体に付着した汗・油などの汚れを洗浄と殺菌がナノバブル効果で行え、さらに固形の耳垢３０００を、音波を音波洗浄として活用することにより短時間で清潔な補聴器として使用できることがある。さらに、燃料電池１０の発電要素であるナノバブル水１０００を取り入れ口１０５から補給するなどの動作を同時に行い、快適な補聴器１（乃至４）が提供できる。
【００５９】
図４は、本発明の第５の実施形態が適用される、燃料電池を電源とする骨連動耳孔型補聴器５の概略断面構成を例示している。第５実施形態の燃料電池を電源とする補聴器５は、マイクロホン１０１は、外端１００Ａから伸長するアンテナ１０１’を備え、外装容器１００は、燃料電池１０を内蔵する燃料電池内蔵部２０１および磁性体を内蔵する磁性体内蔵部２０３を含み、磁性体内蔵部２０３の外側に、上記耳孔の外耳道の内壁へ密接し、当該外耳道の内壁へ振動を伝達する振動部２０５と、を備える。そして、上記磁性体は、アンテナ１０１’から集音した入力音声を変換して得る電気信号の変化により振動し、当該振動を上記振動部２０５に伝達する骨伝導耳内型の補聴器５である。
【００６０】
一般に、音を伝えるには二つの伝達経路がある。骨伝導型補聴器においても、聴覚器官に届くのには、この二つの伝達経路がある。１つは、空気をまったく介さずに、頭蓋骨から内耳に直接的に伝わってくる経路であり、この音を骨導音という。ちなみに一般的な補聴器では、第２の経路を利用しており、即ち空気を振動させ、耳たぶで集音されて外耳道を介し内耳に入ってくる経路（これを気導音という。）を用いている。骨伝導型補聴器では、遠くの音は聞こえにくい、感音性に適さない、等の欠点が有るが、本発明に記載する骨連動耳孔型補聴器５はこれらの欠点を補った補聴器である。
【００６１】
従来の耳の後ろ側に貼り付ける骨連動型補聴器は、雑音が気にならない、耳孔及び鼓膜に負担がかからない、耳を塞がないので圧迫感が無い、等の起動音を利用する補聴器にはない特徴がある。骨伝導の効果を調べてみると、骨伝導が有効なのは伝音性（鼓膜などの、音を聴覚神経まで伝達する器官の障害）に対してであって、全ての高齢者に効果が有るわけではない（中耳炎等が原因の場合は非常に優れている）。何故なら老人性難聴はたいてい伝音性難聴と感音性難聴（聴覚神経に属する器官の機能低下）を併せ持つ混合性だからである。つまり骨伝導では伝音器官の機能低下分は聞こえが改善されるが、感音機能の低下が大きいと効果を期待できないものの、中度難聴や軽度難聴なら骨伝導補聴器は十分に効果を期待できる。しかし、一番の難点は磁石とコイルの組み合わせで振動させる骨伝導スピーカを使用するので形状が大きく外形的には非デザイン的な面もある。
【００６２】
図４に、ナノバブル水１０００を利用した骨連動耳孔型補聴器５内で、ナノバブル水保持具２０１−ｃに保持された燃料電池１０の反応室内２０１ａの概要を示す。ナノバブル水１０００が、カートリッジ１２と接触すると、カートリッジ１２は水素を発生させる。この水素とナノバブル水１０００が反応して起電し、上記骨連動耳孔型補聴器５へ安定的で長期使用の電源供給をおこなう。なお、カートリッジ１２の構成要素は、一例として、Ａｌ、ＮａＢＨ４などアルカリ金属、アルカリ土類金属、及びナトリウムシリサイドまたはナトリウムシリカゲルを含む、アルカリ金属物質等である。
【００６３】
図４中、磁性体内蔵部２０３および信号送信部２０４は骨連動耳孔型補聴器５を構成し、磁性体内蔵部２０３は増幅器５０（ＤＰＳ２０およびメモリ３０を含む）の他、骨連動耳孔型で最も重要な磁性体を具備している。骨連動耳孔型補聴器５の仕組みを簡単に説明すると、上記磁性体（以下、「磁歪素子」ともいう。）に任意の磁気を与えると、外形がわずかに変形することを応用して、磁歪素子の伸張に応じて、振動部２０５は外耳道の内壁へ押しつけられる。一方、磁場が消えると磁歪素子は元の長さに戻る。これを繰り返すことで、振動部２０５は外耳道付近の軟骨へ振動を伝え骨導音として聞くことができる。すなわち、図４中、振動部２０５が、磁性体内蔵部２０３内の磁性体の振動を増幅して外耳道付近の軟骨に振動を伝える。
【００６４】
本実施形態５の補聴器５は、このように、ナノバブル水１０００に対応して燃料電池１０の発電の基となるナノバブル水１０００補給と、補聴器５に付着した汗や耳垢などの汚れ３０００をナノバブル水１０００による洗浄で除去すると共に、ナノバブル水１０００による殺菌を同時に行う骨伝導耳内型である。従来の骨伝導補聴器は、こめかみ又は耳付近の骨に振動部を押さえつけることで骨導音を伝える骨伝導スピーカを備え、振動部を皮膚の上から骨等へ強く押さえつける必要があるため、使用には不快感が伴った。また、従来品は、骨伝導スピーカが大型化する欠点を補い気導音の聞き取りを阻害しない耳孔装着型骨伝導補聴器であるが、上記のカナル型とフルサイズ型と同じで、電池一個で、多少の個人差はあるが、約２週間〜２０日程度使用が可能とされる。しかし使用環境の変化および使用頻度により大きく電池の持ちが低下し、突然電池が切れを起こし使用不可能な状態もおこる欠点があった、本発明のナノバブル水利用の燃料電池式補聴器にすることで、本実施形態５の補聴器５は、電池交換の手間および使い勝手を向上させた、燃料電池を電源とする骨伝導耳内型補聴器であることを特徴としている。
【００６５】
本発明に係る実施形態６の補聴器６は、図示しないが、眼鏡組込み骨伝導型であってもよい。上記第１実施形態の補聴器１において、本実施形態６の補聴器は、さらにナノバブル水に対応して燃料電池発電の基となるナノバブル水補給と、補聴器に付着した汗や耳垢などの汚れの洗浄と、眼鏡のつる及びレンズに付着した汗や埃などの汚れ３０００などをナノバブル水１０００による洗浄で除去すると共に、ナノバブル水１０００による殺菌を同時に行う眼鏡組込み骨伝導型であることを特徴としている。
【００６６】
次に、図５（ｂ）は、骨連動耳孔型補聴器５およびナノバブル水保持容器９０の概略断面構成を例示し、図５（ａ）は、骨連動耳孔型補聴器５を監視する携帯端末機２０００の概略構成を例示している。本発明の燃料電池を電源とする補聴器において、骨連動耳孔型補聴器５は、携帯端末機２０００で集音し、携帯端末機２０００からＲＦＩＤなどの無線通信により送信された電磁波信号を前記アンテナから受信する、携帯端末機連動型である。
【００６７】
本発明に係る実施形態７の補聴器は、このように携帯端末機連動型であってもよい。図５において、ナノバブル水保持容器９０は、面倒な従来の骨連動耳孔型補聴器の手入れの軽減が行え、ナノバブル水保持容器９０（補聴器洗浄容器）へナノバブル水１０００を入れて上記骨連動耳孔型補聴器５を漬ける（沈下）させるだけで補聴器５本体に付着した汗・油などの汚れ３０００を洗浄と殺菌とがナノバブル効果で行える。さらに３０００で表した固形の耳垢を２０１０の音波を音波洗浄として活用することにより短時間で清潔な補聴器として使用できる。さらに、燃料電池１０の発電要素であるナノバブル水１０００をナノバブル水取り入れ口１０５から補給するなどの動作を同時に行い、快適な骨連動耳孔型補聴器５を提供することができる。
【００６８】
本実施形態７の補聴器５は、上記第１実施形態の補聴器１において、さらにナノバブル水に対応して燃料電池発電の基となるナノバブル水補給と、補聴器に付着した汗や耳垢などの汚れをナノバブル水による洗浄で除去すると共に、ナノバブル水による殺菌を同時におこなう携帯端末機連動型であることを特徴としている。
【００６９】
図６に本実施形態７の簡易型骨連動耳孔型補聴器６の使用例を示すが、図６は携帯端末機２０００と、簡易型骨連動耳孔型補聴器６の概要例図である。簡易型骨連動耳孔型補聴器６は、図７のようにアクティブＲＦＩＤタグを用いて電池を必要としない設計にし、使い捨てできる程度に手軽な価格であるのが望ましい。アクティブタグは通常リチウムイオン電池を採用して駆動しているが、本発明の簡易型骨連動耳孔型補聴器６においては、アクティブＲＦＩＤの電源を、熱電交換素子（温度差発電によって発電する素子）とコンデンサの組み合わせで電源供給を可能にする。本実施形態７の簡易型骨連動耳孔型補聴器６は、図７に示すように、このアクティブＲＦＩＤタグとダウンサイジングした上記磁性体（以下、「マイクロ磁盃素子」ともいう。）との組み合わせで信号を骨音として出力する。
【００７０】
図６において、簡易型骨連動耳孔型補聴器６はスマートホンなどの携帯端末機２０００との組み合わせで用いられ、携帯端末機２０００で集音してＲＦＩＤなどの無線通信で簡易型骨連動耳孔型補聴器６へ電磁波信号５２０を送る。この簡易型骨連動耳孔型補聴器６と連動させて使用する携帯端末機２０００は、当該携帯端末機２０００の内部にナノバブル水１０００と反応して発電するカートリッジを内蔵する燃料電池１０を備え、当該携帯端末機２０００の表面にナノバブル水１０００を燃料電池１０に補給するためのナノバブル水取入れ口１０５を設けた、燃料電池を搭載した携帯端末機であってよい。耳５０００側が上記信号５２０をアンテナ１０１’で受信して動作するアクティブＲＦＩＤタグの発信信号を上記マイクロ磁歪素子へ伝え、内耳の軟骨部分に骨導音を提供できる。この使い捨て可能な骨連動耳孔型補聴器６側には燃料電池１０は搭載せず、携帯端末機２０００にナノバブル水１０００利用の燃料電池１０を搭載する構成を行い、安価で手軽な骨連動耳孔型補聴器６を提供することができる。
【００７１】
すなわち、図７、図８に示すように、本発明に係る使い捨て可能な簡易型骨連動耳孔型補聴器６は、携帯端末機２０００で集音し、当該携帯端末機２０００からＲＦＩＤなどの無線通信により送信された電磁波信号を、内蔵するアクティブＲＦＩＤタグが受信し、当該アクティブＲＦＩＤタグが発信信号を内蔵するマイクロ磁歪素子へ伝え、内耳の軟骨部分に骨導音を提供する。また、本発明に係る燃料電池を搭載した携帯端末機２０００は、上記簡易型骨連動耳孔型補聴器６と連動させて使用する携帯端末機２０００であって、当該携帯端末機２０００の内部にナノバブル水１０００と反応して発電するカートリッジ１２を内蔵する燃料電池１０を備え、当該携帯端末機２０００の表面にナノバブル水１０００を当該燃料電池１０に補給するためのナノバブル水取入れ口１０５を設けた。
【００７２】
また、図８に示すように、この使い捨て可能な簡易型骨連動耳孔型補聴器６は、携帯端末機２０００にイヤホン型補聴器としてつなげることができるので、イヤホンマイクとして会話もできる。さらに、マイクがイヤホン本体に仕込まれているので、耳の中の音を拾うことで、マイクを意識することなく会話ができるなどの利点がある。さらに、拾うのは耳の中の音なので、周囲の音に邪魔されることがなく、また耳後ろの骨の振動で音を伝える骨伝導とは違い、自然な音質（８０デジベル以下の音量）で会話が行えるのが特徴である。
【００７３】
上記のイヤホン型の使い捨て可能な簡易型骨連動耳孔型補聴器６でも、イヤモールド、チューブ、フックなどに付着した汗や耳垢などの汚れを除去すると共に殺菌、洗浄、調整をナノバブル水で行い、また上記携帯端末機２０００は燃料電池１０の使用タイプで定期的にナノバブル水１０００の補給を行う。
【００７４】
以上のように、実施形態７の簡易型骨連動耳孔型補聴器６と連動させて使用する携帯端末機２０００は、上記のようにナノバブル水１０００利用の燃料電池１０を搭載し、簡易型骨連動耳孔型補聴器６には燃料電池１０を搭載しないでアクティブＲＦＩＤタグのみで駆動する使い捨て型とするのが望ましい。本実施形態７では、ナノバブル水１０００は、上記携帯端末機２０００の燃料電池１０の水補給と、耳穴式骨伝導補聴器の洗浄、殺菌、に利用する。
【００７５】
以上、本発明に係る燃料電池を電源とする補聴器１乃至６について、実施形態１乃至７を用いて説明したが、本発明は上記実施形態に限定されるものではない。
【００７６】
本発明に係る燃料電池を電源とする補聴器は、上記実施形態１乃至７記載の発明において、さらにナノバブル水が補聴器のマイクロホン、イヤホンおよび制御部の防水加工として、フッ素原子と炭素原子のみからなるフッ素樹脂（フッ化炭素樹脂）による撥水加工したメッシュ状の防水膜および触媒コーティングによる防水機能を備えてもよい。
【００７７】
また、本発明に係る燃料電池を電源とする補聴器１等は、上記実施形態１乃至７記載を含む発明において、さらに基板など重要な電子回路部分保護にのみナノコーティング防水膜および防水機能を備えてもよい。
【００７８】
さらに、本発明に係る燃料電池を電源とする補聴器１等は、上記実施形態１乃至７記載を含む上記発明において、前記補聴器の筐体を光触媒コーティングなどによる汚れ付着予防および抗菌機能を備えることとしてもよい。
【００７９】
さらに、本発明に係る燃料電池を電源とする補聴器１等は、上記実施形態１乃至７記載を含む上記発明において、装用使用における汗をナノバブル水１０００で除去し、耳垢３０００などを音波洗浄併用などで除去することを特徴としてもよい。
【００８０】
本実施形態４の補聴器４は、上記実施形態１乃至７記載を含む上記発明において、さらに、上記本発明に係る補聴器１等は、ナノバブル水１０００に当該補聴器を沈めた状態で外部から携帯端末機２０００などの機器を利用して信号を送受信しながら機能調整することを特徴としてもよい。
【実施例１】
【００８１】
イオンナノバブル水の殺菌効果の試験として、右手と左手をそれぞれ「消毒用アルコール」と「イオンナノバブル水」に分けて使用し消毒、洗浄・除菌をした。試験前に両手についた雑菌の繁殖程度を数値で表すと、「２７００」という数値であった。試験後、消毒用アルコールで消毒した右手は数値が「２０００」に減少した。一方、イオンナノバブル水で洗浄・除菌した左手は「６６０」に減少した。この結果から見ても、イオンナノバブル水の除菌作用が優れているかが実証される。
【００８２】
その他、本発明は、その主旨を逸脱しない範囲で当業者の知識に基づき種々の改良、修正、変更を加えた態様で実施できるものである。
【産業上の利用可能性】
【００８３】
日本国内ではいまだ、補聴器の潜在ユーザー（難聴者）のうち、補聴器の所有者割合はわずか２４．１％に過ぎない。これは、難聴者の４人に１人しか補聴器を使用していないことを表している。
「補聴器供給システムの在り方に関する研究」2年次報告書より。
（調査期間：2003-2-20〜2003-3-10）
【表１】
2014127720.tif 000003
上記で分かるように補聴器の利用者数は潜在数も含めて２０００万人と報告され特にデジタル家電の普及で、若者のイヤホンやヘッドホンなどが原因で起こる急性音響性難聴が急増している現状がある。これらの補聴器利用者が補聴器を購入する目安として、電池交換不要でありメンテナンスの手軽な機器が選択され、正に本発明の燃料電池を電源とする補聴器が有用である。
【符号の説明】
【００８４】
１〜６：本発明に係る燃料電池を電源とする補聴器
５：骨連動耳孔型補聴器
６：簡易型骨連動耳孔型補聴器
１０：燃料電池
１２：カートリッジ
２０：ＤＰＳ（Digital Signal Processor）
３０：メモリ
３２：プログラム
３４：データ
４０：Ａ−Ｄコンバータ
４２：Ｄ−Ａコンバータ
５０：増幅器
９０：ナノバブル水保持容器
９２：ドレン
１００：外装容器
１００’：本体部
１００Ａ：外端
１００Ｂ：内端
１０１：マイクロホン
１０１’：アンテナ
１０２：耳孔挿入部
１０３：スピーカー    
１０４：燃料電池部
１０５：ナノバブル水取り入れ口
２０１：燃料電池内蔵部
２０１−ａ：燃料電池の反応室内  
２０１−ｃ：ナノバブル水保持具
２０２：信号変換部
２０３：磁性体内蔵部
２０４：スピーカー（信号送信部）
２０５：振動部
５００：外部プログラム装置
５２０：電磁波信号
１０００：ナノバブル水
２０００：携帯端末機
２０１０：交信電波
２０２０：状態表示画像
２０３０：進捗確認インジケータ
３０００：耳垢などの付着物
５０００：耳
【図１】
2014127720.tif 000004
【図２】
2014127720.tif 000005
【図３】
2014127720.tif 000006
【図４】
2014127720.tif 000007
【図５】
2014127720.tif 000008
【図６】
2014127720.tif 000009
【図７】
2014127720.tif 000010
【図８】
2014127720.tif 000011